(57)【要約】【課題】ユーザ装置の受信処理における復調処理パタンを減少させる。【解決手段】複数のアンテナが備えられた基地局装置と通信を行うユーザ装置は、所定のアンテナから送信されるＬ１／Ｌ２制御チャネル及びデータチャネルの復調に使用される第１リファレンスシグナルであって、かつ各サブフレームの先頭から所定の基本時間ユニット以内にマッピングされたＬ１／Ｌ２制御チャネル及び第１リファレンスシグナルを受信する第１受信部と、前記所定のアンテナ以外のアンテナから送信されるデータチャネルの復調に使用される第２リファレンスシグナルであって、かつＬ１／Ｌ２制御チャネル及び第１リファレンスシグナルがマッピングされる基本時間ユニットより後の基本時間ユニットにマッピングされた第２リファレンスシグナルを受信する第２受信部とを備える。１サブフレームは複数のスロットにより構成され、１スロットは複数の基本時間ユニットにより構成される。【選択図】図５
2011010352.tif 000002
【特許請求の範囲】
【請求項１】
複数のアンテナが備えられた基地局装置と通信を行うユーザ装置であって、
１サブフレームは複数のスロットにより構成され、１スロットは複数の基本時間ユニットにより構成され、
所定のアンテナから送信されるＬ１／Ｌ２制御チャネル及びデータチャネルの復調に使用される第１リファレンスシグナルであって、かつ各サブフレームの先頭から所定の基本時間ユニット以内にマッピングされたＬ１／Ｌ２制御チャネル及び第１リファレンスシグナルを受信する第１受信部と、
前記所定のアンテナ以外のアンテナから送信されるデータチャネルの復調に使用される第２リファレンスシグナルであって、かつＬ１／Ｌ２制御チャネル及び第１リファレンスシグナルがマッピングされる基本時間ユニットより後の基本時間ユニットにマッピングされた第２リファレンスシグナルを受信する第２受信部と、
を備えることを特徴とするユーザ装置。
【請求項２】
前記第１受信部は、２本のアンテナから送信されるＬ１／Ｌ２制御チャネル及び第１リファレンスシグナルであって、かつ各サブフレームの先頭から３基本時間ユニット以内にマッピングされたＬ１／Ｌ２制御チャネル及び第１リファレンスシグナルを受信することを特徴とする請求項１に記載のユーザ装置。
【請求項３】
前記第２受信部は、各スロットの中心近傍の基本時間ユニットにマッピングされた第２リファレンスシグナルを受信することを特徴とする請求項１または２に記載のユーザ装置。
【請求項４】
１サブキャリアと１基本時間ユニットにより１リソースエレメントが構成され、
前記第１受信部は、２本のアンテナから送信されるＬ１／Ｌ２制御チャネル及び第１リファレンスシグナルであって、かつ各サブフレームの先頭から３基本時間ユニット以内のリソースエレメントのうち、予め決定された所定のリソースエレメントにマッピングされたＬ１／Ｌ２制御チャネル及び第１リファレンスシグナルを受信し、
前記第２受信部は、Ｌ１／Ｌ２制御チャネル及び第１リファレンスシグナルがマッピングされる基本時間ユニットより後の基本時間ユニットに含まれるリソースエレメントのうち、予め決定された所定のリソースエレメントにマッピングされた第２リファレンスシグナルを受信することを特徴とする請求項１から３のいずれかに記載のユーザ装置。
【請求項５】
前記第１受信部は、所定の周期で異なるリソースエレメントにマッピングされたＬ１／Ｌ２制御チャネル及び第１リファレンスシグナルを受信し、
前記第２受信部は、所定の周期で異なるリソースエレメントにマッピングされた第２リファレンスシグナルを受信することを特徴とする請求項４に記載のユーザ装置。
【請求項６】
前記所定の周期は、サブフレームであることを特徴とする請求項５に記載のユーザ装置。
【請求項７】
前記第２受信部は、本ユーザ装置が備えるアンテナ数に応じて、リソースブロック毎に、Ｌ１／Ｌ２制御チャネル及び第１リファレンスシグナルがマッピングされる基本時間ユニットより後の基本時間ユニットにマッピングされた第２リファレンスシグナルを受信することを特徴とする請求項１から６のいずれかに記載のユーザ装置。
【発明の詳細な説明】
【技術分野】
【０００１】
本発明は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を適用する移動通信システムに関し、特に基地局装置に関する。
【背景技術】
【０００２】
Ｗ−ＣＤＭＡやＨＳＤＰＡ（総称ＵＭＴＳ）の後継となる通信方式、すなわちＬＴＥ（Ｌｏｎｇ  Ｔｅｒｍ  Ｅｖｏｌｕｔｉｏｎ）が、ＵＭＴＳの標準化団体３ＧＰＰにより検討され、無線アクセス方式として、下りリンクについてはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＬＴＥでは、下りリンクで最大１００Ｍｂｐｓの伝送速度を前提としている。また、低速移動の端末に対しても、高速移動の端末に対しても最適化がなされることを要求している。
【０００４】
ＭＩＭＯ伝送は、複数の入力（送信アンテナ）と複数の出力（受信アンテナ）で形成される伝送路で、異なる信号を並列伝送する（ＭＩＭＯ多重）。同一周波数を利用しているにもかかわらず、並列伝送路の数だけ高速化が可能になるので、ＬＴＥの必須技術となると考えられる。
【０００５】
無線アクセス方式としては、数十Ｍｂｐｓを超える高速伝送には、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が適している。ＯＦＤＭは、周波数の直交性を利用し、サブキャリアのスペクトラムが互いに重なり合うように高密度に配置して、周波数利用効率を高めている。複数のサブキャリアに信号を分割して搬送するので、１キャリアで信号を送るシステムと比較して、ｎ本（ｎは、ｎ＞０の整数）のサブキャリアを用いる伝送ではシンボル長はｎ倍になる。
【０００６】
例えば、図１に示すように、４本のアンテナを備える基地局装置（ｅＮＢ：  ｅＮｏｄｅＢ）では、共有データチャネル（ＳＤＣＨ：  Ｓｈａｒｅｄ  Ｄａｔａ  ＣＨａｎｎｅｌ）は４本のアンテナで送信し、Ｌ１／Ｌ２制御チャネル（Ｌ１／Ｌ２  ｃｏｎｔｒｏｌ  ｃｈａｎｎｅｌ）は２本のアンテナで送信することが検討されている。また、このような基地局装置では、各アンテナからそのアンテナ固有のリファレンスシグナル（ＲＳ：  Ｒｅｆｅｒｅｎｃｅ  Ｓｉｇｎａｌ）が送信される。リファレンスシグナルは、通信前に送信側及び受信側で送受信されるビットの値が既知である信号であり、既知信号、パイロット信号、参照信号、トレーニング信号などとも呼ばれる。
【０００７】
また、４本のアンテナを備える基地局装置では、図２に示すように、各アンテナに対応するリファレンスシグナルは、各送信スロットの先頭のＯＦＤＭシンボルにマッピングされることが検討されている（例えば、非特許文献２参照）。
【先行技術文献】
【非特許文献】
【０００８】
【非特許文献１】3GPP TR 25.814 (V7.0.0), "Physical Layer Aspects for Evolved UTRA," June 2006
【非特許文献２】3GPP TS 36.211 (V0.3.0), January 2007
【発明の概要】
【発明が解決しようとする課題】
【０００９】
しかしながら、上述した背景技術には以下の問題がある。
【００１０】
基地局装置では、Ｌ１／Ｌ２制御チャネルを各サブフレームの３シンボル（ＯＦＤＭシンボル）以内にマッピングし、２本のアンテナで送信することが検討されている。また、報知チャネル（ＢＣＨ：  Ｂｒｏａｄｃａｓｔ  ＣＨａｎｎｅｌ）、ページングチャネル（ＰＣＨ：  Ｐａｇｉｎｇ  ＣＨａｎｎｅｌ）、同期チャネル（ＳＣＨ：  Ｓｙｎｃｈｒｏｎｉｓａｔｉｏｎ  Ｃｈａｎｎｅｌ）は、最大２アンテナから伝送することが検討されている。
【００１１】
一方、ユーザ端末では、最低限、Ｌ１／Ｌ２制御チャネルは１本又は２本のアンテナで受信できるようにすることが要求されている。従って、先頭のＯＦＤＭシンボルに各アンテナに対応するリファレンスシグナルがマッピングされた場合、ユーザ端末側の復調処理のオプションが増加する。すなわち、１本のアンテナで送信される場合、２本のアンテナで送信される場合及び４本のアンテナで送信される場合の３種類の復調処理パタンを用意する必要がある。
【００１２】
本発明は上述した従来技術の問題点を解決するためになされたものであり、ユーザ装置の受信処理における復調処理パタンを減少させることにある。
【課題を解決するための手段】
【００１３】
本ユーザ装置は、
複数のアンテナが備えられた基地局装置と通信を行うユーザ装置であって、
１サブフレームは複数のスロットにより構成され、１スロットは複数の基本時間ユニットにより構成され、
所定のアンテナから送信されるＬ１／Ｌ２制御チャネル及びデータチャネルの復調に使用される第１リファレンスシグナルであって、かつ各サブフレームの先頭から所定の基本時間ユニット以内にマッピングされたＬ１／Ｌ２制御チャネル及び第１リファレンスシグナルを受信する第１受信部と、
前記所定のアンテナ以外のアンテナから送信されるデータチャネルの復調に使用される第２リファレンスシグナルであって、かつＬ１／Ｌ２制御チャネル及び第１リファレンスシグナルがマッピングされる基本時間ユニットより後の基本時間ユニットにマッピングされた第２リファレンスシグナルを受信する第２受信部と、
を備える。
【発明の効果】
【００１４】
本発明の実施例によれば、ユーザ装置の受信処理における復調処理パタンを減少させることができる。
【図面の簡単な説明】
【００１５】
【図１】４本のアンテナを備える基地局装置におけるＬ１／Ｌ２制御チャネル及び共有データチャネルの送信方法を示す説明図である。
【図２】リファレンスシグナルのマッピングの一例を示す説明図である。
【図３】本発明の実施例に係る無線通信システムの構成を示すブロック図である。
【図４】本発明の一実施例に係る基地局装置を示す部分ブロック図である。
【図５】本発明の一実施例に係るユーザ装置を示す部分ブロック図である。
【図６】本発明の一実施例に係るリファレンスシグナルのマッピングの一例を示す説明図である。
【図７】本発明の一実施例に係るリファレンスシグナルのマッピングの一例を示す説明図である。
【発明を実施するための形態】
【００１６】
次に、本発明を実施するための最良の形態を、以下の実施例に基づき図面を参照しつつ説明する。
尚、実施例を説明するための全図において、同一機能を有するものは同一符号を用い、繰り返しの説明は省略する。
【００１７】
本発明の実施例に係る基地局装置が適用される無線通信システムについて、図３を参照して説明する。
【００１８】
無線通信システム１０００は、例えばＥｖｏｌｖｅｄ  ＵＴＲＡ  ａｎｄ  ＵＴＲＡＮ（別名：ＬＴＥ（Ｌｏｎｇ  Ｔｅｒｍ  Ｅｖｏｌｕｔｉｏｎ），或いは，Ｓｕｐｅｒ  ３Ｇ）が適用されるシステムであり、基地局装置（ｅＮＢ：ｅＮｏｄｅ  Ｂ）２００と複数のユーザ装置（ＵＥ：Ｕｓｅｒ  Ｅｑｕｉｐｍｅｎｔ）１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。図３では、１本のアンテナしか記載されていないが、基地局装置２００は複数のアンテナを備える。ここで、ユーザ装置１００ｎはセル５０において基地局装置２００とＥｖｏｌｖｅｄ  ＵＴＲＡ  ａｎｄ  ＵＴＲＡＮにより通信を行う。
【００１９】
以下、ユーザ装置１００ｎ（１００１、１００２、１００３、・・・１００ｎ）については、同一の構成、機能、状態を有するので、以下では特段の断りがない限りユーザ装置１００ｎとして説明を進める。
【００２０】
無線通信システム１０００は、無線アクセス方式として、下りリンクについてはＯＦＤＭ（周波数分割多元接続）、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。
【００２１】
ここで、ＬＴＥにおける通信チャネルについて説明する。
【００２２】
下りリンクについては、各ユーザ装置１００ｎで共有して使用される下り共有物理チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、ＬＴＥ用の下り制御チャネルとが用いられる。下りリンクでは、ＬＴＥ用の下り制御チャネルにより、下り共有物理チャネルにマッピングされるユーザの情報やトランスポートフォーマットの情報、上り共有物理チャネルにマッピングされるユーザの情報やトランスポートフォーマットの情報、上り共有物理チャネルの送達確認情報などが通知され、下り共有物理チャネルによりユーザデータが伝送される。
【００２３】
上りリンクについては、各ユーザ装置１００ｎで共有して使用される上り共有物理チャネル（ＰＵＳＣＨ：  Ｐｈｙｓｉｃａｌ  Ｕｐｌｉｎｋ  Ｓｈａｒｅｄ  Ｃｈａｎｎｅｌ）と、ＬＴＥ用の上り制御チャネルとが用いられる。尚、上り制御チャネルには、上り共有物理チャネルと時間多重されるチャネルと、周波数多重されるチャネルの２種類がある。
【００２４】
上りリンクでは、ＬＴＥ用の上り制御チャネルにより、下りリンクにおける共有物理チャネルのスケジューリング、適応変復調・符号化（ＡＭＣ：  Ａｄａｐｔｉｖｅ  Ｍｏｄｕｌａｔｉｏｎ  ａｎｄ  Ｃｏｄｉｎｇ）、送信電力制御（ＴＰＣ：  Ｔｒａｎｓｍｉｔ  Ｐｏｗｅｒ  Ｃｏｎｔｒｏｌ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの共有物理チャネルの送達確認情報（ＨＡＲＱ  ＡＣＫ  ｉｎｆｏｒｍａｔｉｏｎ）が伝送される。また、上り共有物理チャネルによりユーザデータが伝送される。
【００２５】
次に、本発明の実施例に係る基地局装置２００について、図４を参照して説明する。本実施例においては、基地局装置が４本のアンテナを備える場合について説明するが、４本以上の場合についても適用できる。本実施例においては、１サブフレームが複数のスロット、たとえば２スロットにより構成され、１スロットは複数のべーシックタイムユニット（基本時間ユニット）（Ｂａｓｉｃ  Ｔｉｍｅ  ｕｎｉｔ）、例えば７個のベーシックタイムユニットにより構成される場合について説明するが、これらの条件は適宜変更可能である。また、本実施例においては、１サブキャリアと１ベーシックタイムユニットにより構成される領域を１リソースエレメントと呼ぶ。
【００２６】
本実施例に係る基地局装置２００は、多重部（ＭＵＸ）２０２１、２０２２、２０２３及び２０２４と、高速逆フーリエ変換部（ＩＦＦＴ）２０４１、２０４２、２０４３及び２０４４と、ガードインターバル挿入部（ＣＰ）２０６１、２０６２、２０６３及び２０６４と、スケジューラ２０８とを備える。
【００２７】
アンテナ＃１から送信されるＬ１／Ｌ２制御チャネル＃１、データチャネル、例えば共有データチャネル＃１及びリファレンスシグナル（ＲＳ）＃１は多重部２０２１に入力され、多重される。リファレンスシグナル＃１は、Ｌ１／Ｌ２制御チャネル＃１及びデータチャネル＃１の復調に使用される。例えば、図６に示すように、Ｌ１／Ｌ２制御チャネル＃１は各サブフレームにおいて先頭から予め決定された所定のＯＦＤＭシンボル以内、例えば３番目のベーシックタイムユニット以内にマッピングされる。言い換えれば、Ｌ１／Ｌ２制御チャネル＃１は各サブフレームにおいて先頭から３番目以内のリソースエレメントのうち、予め決定された所定のリソースエレメントにマッピングされる。
【００２８】
また、リファレンスシグナル＃１は各スロットにおいて先頭から予め決定された所定のＯＦＤＭシンボル以内、例えば３番目のベーシックタイムユニット以内にマッピングされる。例えば、リファレンスシグナル＃１は各スロットにおいて先頭のリソースエレメントのうち予め決定された所定のリソースエレメントにマッピングされる。さらに、リファレンスシグナル＃１は各スロットにおいて先頭から４番目以降のＯＦＤＭシンボルにマッピングされる。例えば、リファレンスシグナル＃１は各スロットにおいて先頭から５番目のリソースエレメントのうち予め決定された所定のリソースエレメントにマッピングされる。ユーザ装置１００ｎにおけるチャネル推定精度を向上させる観点からは、各スロットにおいて先頭から４番目以降のＯＦＤＭシンボルにマッピングされるリファレンスシグナル＃１は、各スロットにおいて中心中近傍のリソースエレメントにマッピングすることが好ましい。例えば、リファレンスシグナル＃１は各スロットにおいて先頭から４−５番目のリソースエレメントにマッピングする。
【００２９】
データチャネル＃１は、Ｌ１／Ｌ２制御チャネル＃１及びリファレンスシグナル＃１がマッピングされたリソースエレメント以外のリソースエレメントにマッピングされる。
【００３０】
多重部２０２１において、Ｌ１／Ｌ２制御チャネル＃１、リファレンスシグナル＃１及びデータチャネル＃１がマッピングされ、多重された信号は、ＩＦＦＴ部２０４１に入力され、高速逆フーリエ変換され、ＯＦＤＭ方式の変調が行われる。
【００３１】
ＯＦＤＭ方式の変調が行われたシンボルには、ガードインターバル挿入部２０６１において、ガードインターバルが付加され、送信される。
【００３２】
アンテナ＃２から送信されるＬ１／Ｌ２制御チャネル＃２、データチャネル、例えば共有データチャネル＃２及びリファレンスシグナル（ＲＳ）＃２は多重部２０２２に入力され、多重される。リファレンスシグナル＃２は、Ｌ１／Ｌ２制御チャネル＃２及びデータチャネル＃２の復調に使用される。例えば、図６に示すように、Ｌ１／Ｌ２制御チャネル＃２は各サブフレームにおいて先頭から予め決定された所定のＯＦＤＭシンボル以内、例えば３番目のベーシックタイムユニット以内にマッピングされる。言い換えれば、Ｌ１／Ｌ２制御チャネル＃２は各サブフレームにおいて先頭から３番目以内のリソースエレメントのうち、予め決定された所定のリソースエレメントにマッピングされる。
【００３３】
また、リファレンスシグナル＃２は各スロットにおいて先頭から予め決定された所定のＯＦＤＭシンボル以内、例えば３番目のベーシックタイムユニット以内にマッピングされる。例えば、リファレンスシグナル＃２は各スロットにおいて先頭のリソースエレメントのうち予め決定された所定のリソースエレメントにマッピングされる。さらに、リファレンスシグナル＃２は各スロットにおいて先頭から４番目以降のＯＦＤＭシンボルにマッピングされる。例えば、リファレンスシグナル＃２は各スロットにおいて先頭から５番目のリソースエレメントのうち予め決定された所定のリソースエレメントにマッピングされる。ユーザ装置１００ｎにおけるチャネル推定精度を向上させる観点からは、各スロットにおいて先頭から４番目以降のＯＦＤＭシンボルにマッピングされるリファレンスシグナル＃２は、各スロットにおいて中心近傍のリソースエレメントにマッピングすることが好ましい。例えば、リファレンスシグナル＃２は各スロットにおいて先頭から４−５番目のリソースエレメントにマッピングする。
【００３４】
データチャネル＃２は、Ｌ１／Ｌ２制御チャネル＃１及びリファレンスシグナル＃２がマッピングされたリソースエレメント以外のリソースエレメントにマッピングされる。
【００３５】
多重部２０２２において、Ｌ１／Ｌ２制御チャネル＃２、リファレンスシグナル＃２及びデータチャネル＃２がマッピングされ、多重された信号は、ＩＦＦＴ部２０４２に入力され、高速逆フーリエ変換され、ＯＦＤＭ方式の変調が行われる。
【００３６】
ＯＦＤＭ方式の変調が行われたシンボルには、ガードインターバル挿入部２０６２において、ガードインターバルが付加され、送信される。
【００３７】
アンテナ＃３から送信されるデータチャネル、例えば共有データチャネル＃３及びリファレンスシグナル（ＲＳ）＃３は多重部２０２３に入力され、多重される。リファレンスシグナル＃３は、データチャネル＃３の復調に使用される。例えば、図６に示すように、リファレンスシグナル＃３は各スロットにおいて、多重部２０２１及び２０２２においてＬ１／Ｌ２制御チャネル＃１及び＃２と、リファレンスシグナル＃１及び＃２がマッピングされるベーシックタイムユニットより後のベーシックタイムユニットにマッピングされる。すなわち、Ｌ１／Ｌ２制御チャネルがマッピングされる領域以外の領域、例えば各スロットにおいて先頭から４番目以降のＯＦＤＭシンボル、すなわちベーシックタイムユニットにマッピングされる。例えば、リファレンスシグナル＃３は各スロットにおいて先頭から４番目以降のリソースエレメントのうち予め決定された所定のリソースエレメントにマッピングされる。ユーザ装置１００ｎにおけるチャネル推定精度を向上させる観点からは、各スロットにおいて先頭から４番目以降のベーシックタイムユニットにマッピングされるリファレンスシグナル＃３は、各スロットにおいて中心近傍のリソースエレメントにマッピングすることが好ましい。例えば、リファレンスシグナル＃３は各スロットにおいて先頭から４−５番目のリソースエレメントにマッピングする。
【００３８】
データチャネル＃３は、リソースブロック＃３がマッピングされたリソースエレメント以外のリソースエレメントにマッピングされる。
【００３９】
多重部２０２３において、リファレンスシグナル＃３及びデータチャネル＃３がマッピングされ、多重された信号は、ＩＦＦＴ部２０４３に入力され、高速逆フーリエ変換され、ＯＦＤＭ方式の変調が行われる。
【００４０】
ＯＦＤＭ方式の変調が行われたシンボルには、ガードインターバル挿入部２０６３において、ガードインターバルが付加され、送信される。
【００４１】
アンテナ＃４から送信されるデータチャネル、例えば共有データチャネル＃４及びリファレンスシグナル（ＲＳ）＃４は多重部２０２４に入力され、多重される。リファレンスシグナル＃４は、データチャネル＃４の復調に使用される。例えば、図６に示すように、リファレンスシグナル＃４は各スロットにおいて、多重部２０２１及び２０２２においてＬ１／Ｌ２制御チャネル＃１及び＃２と、リファレンスシグナル＃１及び＃２がマッピングされるベーシックタイムユニットより後のベーシックタイムユニットにマッピングされる。
【００４２】
すなわち、Ｌ１／Ｌ２制御チャネルがマッピングされる領域以外の領域、例えば各スロットにおいて先頭から４番目以降のＯＦＤＭシンボル、すなわちベーシックタイムユニットにマッピングされる。例えば、リファレンスシグナル＃４は各スロットにおいて先頭から４番目以降のリソースエレメントのうち予め決定された所定のリソースエレメントにマッピングされる。ユーザ装置１００ｎにおけるチャネル推定精度を向上させる観点からは、各スロットにおいて先頭から４番目以降のベーシックタイムユニットにマッピングされるリファレンスシグナル＃４は、各スロットにおいて中心近傍のリソースエレメントにマッピングすることが好ましい。例えば、リファレンスシグナル＃４は各スロットにおいて先頭から４−５番目のリソースエレメントにマッピングする。
【００４３】
データ＃４は、リソースブロック＃４がマッピングされたリソースエレメント以外のリソースエレメントにマッピングされる。
【００４４】
多重部２０２４において、リファレンスシグナル＃４及びデータ＃４がマッピングされ、多重された信号は、ＩＦＦＴ部２０４４に入力され、高速逆フーリエ変換され、ＯＦＤＭ方式の変調が行われる。
【００４５】
ＯＦＤＭ方式の変調が行われたシンボルには、ガードインターバル挿入部２０６４において、ガードインターバルが付加され、送信される。
【００４６】
スケジューラ２０８は、多重部２０２３及び２０２４に対して、リファレンスシグナル＃３及びリファレンスシグナル＃４を、各スロットにおいてＬ１／Ｌ２制御チャネルがマッピングされる領域以外の領域にマッピングされるようにスケジューリングを行う。例えば、スケジューラ２０８は、各スロットにおいて先頭から４番目以降のＯＦＤＭシンボルにマッピングする。
【００４７】
上述した実施例において、多重部２０２１、２０２２、２０２３及び２０２４は、所定の周期、例えばサブフレームを周期として、Ｌ１／Ｌ２制御チャネル及びリファレンスシグナルを、異なるリソースエレメントにマッピングするようにしてもよい。例えば、多重部２０２１、２０２２、２０２３及び２０２４は、サブフレームが変わったときには、隣接するリソースエレメントにホップさせ、隣接するリソースエレメントにマッピングする。
【００４８】
また、多重部２０２３及び２０２４は、ユーザ装置１００ｎが備えるアンテナ数に応じて、リソースブロック毎に、リファレンスシグナル＃３及び＃４を、多重部２０２１及び２０２２においてＬ１／Ｌ２制御チャネル＃１及び＃２、リファレンスシグナル＃１及び＃２がマッピングされるベーシックタイムユニットより後のベーシックタイムユニットにマッピングするようにしてもよい。例えば、図７に示すように、ユーザ装置＃１が４本のアンテナを備える場合には、そのユーザ装置＃１へ割り当てられたリソースブロックでは、リファレンスシグナル＃１、＃２、＃３及び＃４がマッピングされ、ユーザ装置＃２が２本のアンテナを備える場合には、そのユーザ装置＃２へ割り当てられたリソースブロックでは、リファレンスシグナル＃１及び＃２がマッピングされる。
【００４９】
次に、本発明の実施例に係るユーザ装置１００ｎについて、図５を参照して説明する。
【００５０】
本実施例に係るユーザ装置１００ｎは、ＣＰ除去部１０２と、高速フーリエ変換（ＦＦＴ）部１０４と、Ｌ１／Ｌ２制御チャネル受信部１０６と、データ受信部１１８とを備える。
【００５１】
Ｌ１／Ｌ２制御チャネル受信部１０６は、切替部１０８及び１１６と、分離部（ＤＥＭＵＸ）１１０と、チャネル推定部１１２１及び１１２２と、復調部１１４とを備える。
【００５２】
データ受信部１１８は、切替部１２０及び１２８と、分離部（ＤＥＭＵＸ）１２２と、チャネル推定部１２４１、１２４２、１２４３及び１２４４と、信号分離・復調部１２６とを備える。
【００５３】
ＣＰ除去部１０２は、受信シンボルからガードインターバルを除去し、有効シンボル部分を残す。
【００５４】
高速フーリエ変換部（ＦＦＴ）１０４は、入力された信号に対して高速フーリエ変換を行う。高速フーリエ変換された信号は切替部１０８又は１２０に入力される。Ｌ１／Ｌ２制御チャネルは切替部１０８に入力され、データチャネルは切替部１２０に入力される。
【００５５】
切替部１０８は、基地局装置２００がＬ１／Ｌ２制御チャネルを１アンテナで送信するのか又は２アンテナで送信するのか、すなわちＬ１／Ｌ２制御チャネルを送信するアンテナ数に応じて、１アンテナ送信時の復調処理又は２アンテナ送信時の復調処理に切り替える。例えば、ユーザ装置１００ｎは、基地局装置２００との接続処理において、自ユーザ装置１００ｎが備えるアンテナ数を通知する。
【００５６】
基地局装置２００は通知されたアンテナ数にしたがって、Ｌ１／Ｌ２制御チャネルを送信するアンテナ数を決定する。例えば、ユーザ装置１００ｎが備えるアンテナ数が１本である場合には１本のアンテナで送信することを決定し、ユーザ装置１００ｎが備えるアンテナ数が２本以上である場合には２本のアンテナで送信することを決定する。また、切替部１０８は、１アンテナ送信時の復調処理又は２アンテナ送信時の復調処理への切替結果を切替部１１６に入力する。
【００５７】
基地局装置２００がＬ１／Ｌ２制御チャネルを１アンテナで送信する場合、高速フーリエ変換された信号は、信号分離部１１０に入力される（１）。信号分離部１１０では、入力信号を、リファレンスシグナル（ＲＳ）＃１とＬ１／Ｌ２制御チャネルに分離し、ＲＳ＃１をチャネル推定部１１２１に入力し、Ｌ１／Ｌ２制御チャネルを復調部１１４に入力する。チャネル推定部１１２１では、ＲＳ＃１を用いてチャネル推定が行われ、そのチャネル推定の結果は復調部１１４に入力される。復調部１１４には、入力されたチャネル推定の結果を用いて，Ｌ１／Ｌ２制御チャネルの復調が行われ、復調されたＬ１／Ｌ２制御チャネルは切替部１１６に入力される。
【００５８】
基地局装置２００がＬ１／Ｌ２制御チャネルを２アンテナで送信する場合、高速フーリエ変換された信号は、信号分離部１１０に入力される（２）。信号分離部１１０では、入力信号を、リファレンスシグナル（ＲＳ）＃１と、リファレンスシグナル（ＲＳ）＃２と、Ｌ１／Ｌ２制御チャネルとに分離し、ＲＳ＃１及びＲＳ＃２をそれぞれチャネル推定部１１２１及び１１２２に入力し、Ｌ１／Ｌ２制御チャネルを復調部１１４に入力する。チャネル推定部１１２１では、ＲＳ＃１を用いてチャネル推定が行われ、チャネル推定部１１２２では、ＲＳ＃２を用いてチャネル推定が行われ、それらのチャネル推定の結果は復調部１１４に入力される。復調部１１４には、入力されたＬ１／Ｌ２制御チャネルをアンテナ毎に分離し、入力されたチャネル推定の結果を用いて、Ｌ１／Ｌ２制御チャネルの復調が行われ、復調されたアンテナ毎のＬ１／Ｌ２制御チャネルは切替部１１６に入力される。
【００５９】
切替部１１６は、切替部１０８により入力された切替結果にしたがって、入力された１アンテナ送信時の復調処理により復調されたＬ１／Ｌ２制御チャネル又は２アンテナ送信時の復調処理により復調されたアンテナ毎のＬ１／Ｌ２制御チャネルを出力する。
【００６０】
切替部１２０は、基地局装置２００がデータチャネルを送信するアンテナ数に応じて、１アンテナ送信時の復調処理、２アンテナ送信時の復調処理又は４アンテナ送信時の復調処理に切り替える。また、切替部１０８は、１アンテナ送信時の復調処理、２アンテナ送信時の復調処理又は４アンテナ送信時の復調処理への切替結果を切替部１２８に入力する。
【００６１】
基地局装置２００がデータチャネルを１アンテナで送信する場合、高速フーリエ変換された信号は、信号分離部１２２に入力される（１）。信号分離部１２２では、入力信号を、リファレンスシグナル（ＲＳ）＃１とデータチャネルに分離し、ＲＳ＃１をチャネル推定部１２４１に入力し、データチャネルを信号分離・復調部１２６に入力する。チャネル推定部１２４１では、ＲＳ＃１を用いてチャネル推定が行われ、そのチャネル推定の結果は信号分離・復調部１２６に入力される。信号分離・復調部１２６では、入力されたチャネル推定の結果を用いて、データチャネルの復調が行われ、復調されたデータチャネルは切替部１２８に入力される。
【００６２】
基地局装置２００がデータチャネルを２本のアンテナで送信する場合、高速フーリエ変換された信号は、信号分離部１２２に入力される（２）。信号分離部１２２では、入力信号を、リファレンスシグナル（ＲＳ）＃１及び＃２と、データチャネルに分離し、ＲＳ＃１をチャネル推定部１２４１に入力し、ＲＳ＃２をチャネル推定部１２４２に入力し、データチャネルを信号分離・復調部１２６に入力する。チャネル推定部１２４１では、ＲＳ＃１を用いてチャネル推定が行われ、そのチャネル推定の結果は信号分離・復調部１２６に入力される。チャネル推定部１２４２では、ＲＳ＃２を用いてチャネル推定が行われ、そのチャネル推定の結果は信号分離・復調部１２６に入力される。信号分離・復調部１２６では、入力されたデータチャネルをアンテナ毎に分離し、入力されたチャネル推定の結果を用いて、データチャネルの復調が行われ、復調されたアンテナ毎のデータチャネルは切替部１２８に入力される。
【００６３】
基地局装置２００がデータチャネルを４アンテナで送信する場合、高速フーリエ変換された信号は、信号分離部１２２に入力される（３）。信号分離部１１０では、入力信号を、リファレンスシグナル（ＲＳ）＃１、＃２、＃３及び＃４とデータチャネルに分離し、ＲＳ＃１をチャネル推定部１２４１に入力し、ＲＳ＃２をチャネル推定部１２４２に入力し、ＲＳ＃３をチャネル推定部１２４３に入力し、ＲＳ＃４をチャネル推定部１２４４に入力し、データチャネルを信号分離・復調部１２６に入力する。
【００６４】
チャネル推定部１２４１ではＲＳ＃１を用いてチャネル推定が行われ、そのチャネル推定の結果は信号分離・復調部１２６に入力される。チャネル推定部１２４２では、ＲＳ＃２を用いてチャネル推定が行われ、そのチャネル推定の結果は信号分離・復調部１２６に入力される。チャネル推定部１２４３ではＲＳ＃３を用いてチャネル推定が行われ、そのチャネル推定の結果は信号分離・復調部１２６に入力される。チャネル推定部１２４４では、ＲＳ＃４を用いてチャネル推定が行われ、そのチャネル推定の結果は信号分離・復調部１２６に入力される。信号分離・復調部１２６では、入力されたデータチャネルをアンテナ毎に分離し、入力されたチャネル推定の結果を用いて、データチャネルの復調が行われ、復調されたアンテナ毎のデータチャネルは切替部１２８に入力される。
【００６５】
切替部１２８は、切替部１２０により入力された切替結果にしたがって、入力された１アンテナ送信時の復調処理により復調されたデータ、２アンテナ送信時の復調処理により復調されたアンテナ毎のデータ又は４アンテナ送信時の復調処理により復調されたアンテナ毎のデータを出力する。
【００６６】
本発明の実施例によれば、ユーザ装置に４本のアンテナで送信される場合の復調処理パタンを用意する必要がないので、受信処理を簡略化できる。
【００６７】
以上の実施例を含む実施形態に関し、更に、以下の項目を開示する。
【００６８】
（１）  複数のアンテナを備え、前記複数のアンテナによりユーザ装置と通信を行う基地局装置であって：
１サブフレームは複数のスロットにより構成され、１スロットは複数の基本時間ユニットにより構成され、
所定のアンテナから送信されるＬ１／Ｌ２制御チャネル及びデータチャネルの復調に使用されるリファレンスシグナルを各サブフレームの先頭から所定の基本時間ユニット以内にマッピングする第１のマッピング手段；
前記所定のアンテナ以外のアンテナから送信されるデータチャネルの復調に使用されるリファレンスシグナルを前記Ｌ１／Ｌ２制御チャネル及びデータチャネルの復調に使用されるリファレンスシグナルがマッピングされる基本時間ユニットより後の基本時間ユニットにマッピングする第２のマッピング手段；
を備える。
【００６９】
このように構成することにより、ユーザ端末側の復調処理のオプションを低減できる。
【００７０】
（２）  （１）に記載の基地局装置において：
前記第１のマッピング手段は、２本のアンテナから送信されるＬ１／Ｌ２制御チャネル及びデータチャネルの復調に使用されるリファレンスシグナルを、各サブフレームの先頭から３基本時間ユニット以内にマッピングする。
【００７１】
（３）  （１）又は（２）に記載の基地局装置において：
前記第２のマッピング手段は、前記所定のアンテナ以外のアンテナから送信されるデータチャネルの復調に使用されるリファレンスシグナルを、各スロットの中心近傍の基本時間ユニットにマッピングする。
【００７２】
（４）  （１）ないし（３）のいずれか１項に記載の基地局装置において：
１サブキャリアと１基本時間ユニットにより１リソースエレメントが構成され、
前記第１のマッピング手段は、２本のアンテナから送信されるＬ１／Ｌ２制御チャネル及びデータチャネルの復調に使用されるリファレンスシグナルを、各サブフレームの先頭から３基本時間ユニット以内のリソースエレメントのうち、予め決定された所定のリソースエレメントにマッピングし、
前記第２のマッピング手段は、前記所定のアンテナ以外のアンテナから送信されるデータチャネルの復調に使用されるリファレンスシグナルを前記Ｌ１／Ｌ２制御チャネル及びデータチャネルの復調に使用されるリファレンスシグナルがマッピングされる基本時間ユニットより後の基本時間ユニットに含まれるリソースエレメントのうち、予め決定された所定のリソースエレメントにマッピングする。
【００７３】
（５）  （４）に記載の基地局装置において：
前記第１のマッピング手段は、所定の周期で、前記Ｌ１／Ｌ２制御チャネル及びデータチャネルの復調に使用されるリファレンスシグナルを、異なるリソースエレメントにマッピングし、
前記第２のマッピング手段は、所定の周期で、前記データチャネルの復調に使用されるリファレンスシグナルを、異なるリソースエレメントにマッピングする。
【００７４】
（６）  （５）に記載の基地局装置において：
前記所定の周期は、サブフレームである。
【００７５】
（７）  （１）ないし（６）のいずれか１項に記載の基地局装置において：
前記第２のマッピング手段は、前記ユーザ装置が備えるアンテナ数に応じて、リソースブロック毎に、前記所定のアンテナ以外のアンテナから送信されるデータチャネルの復調に使用されるリファレンスシグナルを前記Ｌ１／Ｌ２制御チャネル及びデータチャネルの復調に使用されるリファレンスシグナルがマッピングされる基本時間ユニットより後の基本時間ユニットにマッピングする。
【符号の説明】
【００７６】
５０  セル
１００ｎ、１００１、１００２、１００３  ユーザ装置
１０２  ＣＰ除去部
１０４  高速フーリエ変換（ＦＦＴ）部
１０６  Ｌ１／Ｌ２制御チャネル受信部
１０８、１１６、１２０、１２８  切替部
１１０、１２２  分離部（ＤＥＭＵＸ）
１１２１、１１２２、１２４１、１２４２、１２４３、１２４４  チャネル推定部
１１４  復調部
１２６  信号分離・復調部
２００  基地局装置
２０２、２０２１、２０２２、２０２３、２０２４  多重部（ＭＵＸ）
２０４、２０４１、２０４２、２０４３、２０４４  高速逆フーリエ変換部（ＩＦＦＴ）
２０６、２０６１、２０６２、２０６３、２０６４  ガードインターバル挿入部（ＣＰ）
２０８  スケジューラ
３００  アクセスゲートウェイ装置
４００  コアネットワーク
１０００  無線通信システム
【図１】
2011010352.tif 000003
【図２】
2011010352.tif 000004
【図３】
2011010352.tif 000005
【図４】
2011010352.tif 000006
【図５】
2011010352.tif 000007
【図６】
2011010352.tif 000008
【図７】
2011010352.tif 000009